【手続補正書】
【提出日】平成25年7月30日(2013.7.30)
【手続補正１】
【補正対象書類名】特許請求の範囲
【補正対象項目名】全文
【補正方法】変更
【補正の内容】
【特許請求の範囲】
【請求項１】
視覚クエリを処理する、コンピュータによって実施される方法であって、
１個または複数個のプロセッサ、および前記１個または複数個のプロセッサが実行するための１つまたは複数のプログラムを記憶するメモリを有するサーバシステムにおいて、
クライアントシステムから、第１のエンティティおよび第２のエンティティを中に有する視覚クエリ画像を受け取るステップと、
前記視覚クエリ画像を得ることに応答して、
前記視覚クエリ画像内の前記第１のエンティティおよび前記第２のエンティティを用いて複数の視覚クエリ検索結果を得るステップと、
前記複数の視覚クエリ検索結果において前記第１のエンティティに対応する視覚クエリ検索結果の第１の組を特定するステップと、
前記視覚クエリ検索結果の前記第１の組に対する前記視覚クエリ画像内の第１の視覚的識別子を得るステップであって、前記第１の視覚的識別子は前記視覚クエリ画像において前記第２のエンティティとは視覚的に区別できる方法で前記第１のエンティティを識別し、前記第１の視覚的識別子は前記視覚クエリ検索結果の前記第１の組への第１のユーザ選択可能リンクを含む、ステップと
対話型結果ドキュメントを作成するステップであって、前記対話型結果ドキュメントは（ｉ）前記視覚クエリ画像に含まれる前記第１のエンティティおよび（ｉｉ）前記第１の視覚的識別子を含む、ステップと、
前記対話型結果ドキュメントを前記クライアントシステムに送るステップと
を含む、コンピュータによって実施される方法。
【請求項２】
１つまたは複数のテキスト要素を含む前記視覚クエリ画像の一部からテキストを得るステップをさらに含み、前記視覚クエリ検索結果の前記第１の組は前記テキストに応じて得られる検索結果を含む、請求項１に記載のコンピュータによって実施される方法。
【請求項３】
前記視覚クエリ画像の第１の部分がテキスト用語を含む場合、前記視覚クエリ検索結果の前記第１の組が、前記テキスト用語に応じて得られる検索結果を含む、請求項２に記載のコンピュータによって実施される方法。
【請求項４】
前記視覚クエリ画像の第１の部分が人物の顔を識別した場合、前記視覚クエリ検索結果の前記第１の組は、顔が特定されている前記人物、顔が特定されている前記人物の他の画像、および前記人物の顔に関する潜在的な画像の一致に関連する名前、ハンドル、連絡先情報、アカウント情報、アドレス情報、モバイル機器の現在地のうちの１つまたは複数を含む、請求項２に記載のコンピュータによって実施される方法。
【請求項５】
前記視覚クエリ画像の第１の部分が製品に対する識別子を含む場合、前記視覚クエリ検索結果の前記第１の組は、製品情報、製品レビュー、前記製品の購入を開始するオプション、前記製品に対する入札を開始するオプション、同様の製品の一覧、および関連製品の一覧のうちの１つまたは複数を含む、請求項１に記載のコンピュータによって実施される方法。
【請求項６】
前記第１のエンティティの種類に応じて視覚的に区別できる方法で表示するために前記第１の視覚的識別子をフォーマットするステップをさらに含む、請求項１に記載のコンピュータによって実施される方法。
【請求項７】
前記視覚的に区別できる方法は、オーバーレイの色、オーバーレイパターン、ラベルの背景色、ラベルの背景パターン、ラベルのフォントの色、および枠線色からなる群から選択される、請求項６に記載のコンピュータによって実施される方法。
【請求項８】
前記第１の視覚的識別子が、前記視覚クエリ画像の第１の部分に関連する少なくとも１つの用語を含むラベルを含み、前記ラベルは、前記視覚クエリ画像の前記第１の部分上またはその付近において前記対話型結果ドキュメント内で提示するためにフォーマットされる、請求項１に記載のコンピュータによって実施される方法。
【請求項９】
前記送信するステップが、前記対話型結果ドキュメントとともに同時提示するために、前記視覚クエリ検索結果の前記第１の組の一部を送るステップをさらに含む、請求項１〜８のいずれか一項に記載のコンピュータによって実施される方法。
【請求項１０】
前記第１のユーザ選択可能リンクのユーザ選択を受け取るステップと、
前記選択されたリンクに対応する前記視覚クエリ検索結果の一部内の検索結果を特定するステップと
をさらに含む、請求項９に記載のコンピュータによって実施される方法。
【請求項１１】
前記第１の視覚的識別子が、前記第１のエンティティに対応する前記視覚クエリ画像の第１の部分を取り囲む境界ボックスを含む、請求項１に記載のコンピュータによって実施される方法。
【請求項１２】
前記境界ボックスが、前記視覚クエリ画像の前記第１の部分の輪郭を描く、請求項１１に記載のコンピュータによって実施される方法。
【請求項１３】
前記境界ボックスが、１つまたは複数のより小さな境界ボックスを含む、請求項１１または１２に記載のコンピュータによって実施される方法。
【請求項１４】
前記視覚クエリ検索結果の前記第１の組への前記第１のユーザ選択可能リンクは、前記視覚クエリ画像の前記第１の部分内に活性化領域を有する、請求項１１〜１３のいずれか一項に記載のコンピュータによって実施される方法。
【請求項１５】
前記視覚クエリ検索結果の前記第１の組への前記第１のユーザ選択可能リンクは、前記視覚クエリ画像の第１の部分内に活性化領域を有する、請求項１に記載のコンピュータによって実施される方法。
【請求項１６】
視覚クエリを処理するためのサーバシステムであって、
プログラムを実行するための１個または複数個の中央処理装置と、
前記１個または複数個の中央処理装置が実行するための１つまたは複数のプログラムを記憶するメモリと
を含み、
前記１つまたは複数のプログラムが、
クライアントシステムから、第１のエンティティおよび第２のエンティティを中に有する視覚クエリ画像を受け取ることと、
前記視覚クエリ画像を得ることに応答して、
前記視覚クエリ画像内の前記第１のエンティティおよび前記第２のエンティティを用いて複数の視覚クエリ検索結果を得ることと、
前記複数の視覚クエリ検索結果において前記第１のエンティティに対応する視覚クエリ検索結果の第１の組を特定することと、
前記視覚クエリ検索結果の前記第１の組に対する前記視覚クエリ画像内の第１の視覚的識別子を得ることであって、前記第１の視覚的識別子は前記視覚クエリ画像において前記第２のエンティティとは視覚的に区別できる方法で前記第１のエンティティを識別し、前記第１の視覚的識別子は前記視覚クエリ検索結果の前記第１の組への第１のユーザ選択可能リンクを含む、ことと
対話型結果ドキュメントを作成することであって、前記対話型結果ドキュメントは（ｉ）前記視覚クエリ画像に含まれる前記第１のエンティティおよび（ｉｉ）前記第１の視覚的識別子を含む、ことと、
前記対話型結果ドキュメントを前記クライアントシステムに送ることと
を行うための命令を含む、サーバシステム。
【請求項１７】
前記第１の視覚的識別子が、前記第１のエンティティに対応する前記視覚クエリ画像の第１の部分を取り囲む境界ボックスである、請求項１６に記載のシステム。
【請求項１８】
前記境界ボックスが、前記視覚クエリ画像の前記第１の部分の輪郭を描く、請求項１７に記載のシステム。
【請求項１９】
前記視覚クエリ検索結果の前記第１の組への前記第１のユーザ選択可能リンクは、前記視覚クエリ画像の前記第１の部分内に活性化領域を有する、請求項１７または１８に記載のシステム。
【請求項２０】
前記第１の視覚的識別子が、前記視覚クエリ画像の前記第１の部分に関連する少なくとも１つの用語からなるラベルを含み、前記ラベルは、前記視覚クエリ画像の前記第１の部分上またはその付近において前記対話型結果ドキュメント内で提示するためにフォーマットされる、請求項１６〜１９のいずれか一項に記載のシステム。
【請求項２１】
コンピュータが実行するように構成される１つまたは複数のプログラムを記憶する持続性コンピュータ可読記憶媒体であって、前記１つまたは複数のプログラムは、
クライアントシステムから、第１のエンティティおよび第２のエンティティを中に有する視覚クエリ画像を受け取ることと、
前記視覚クエリ画像を得ることに応答して、
前記視覚クエリ画像内の前記第１のエンティティおよび前記第２のエンティティを用いて複数の視覚クエリ検索結果を得ることと、
前記複数の視覚クエリ検索結果において前記第１のエンティティに対応する視覚クエリ検索結果の第１の組を特定することと、
前記視覚クエリ検索結果の前記第１の組に対する前記視覚クエリ画像内の第１の視覚的識別子を得ることであって、前記第１の視覚的識別子は前記視覚クエリ画像において前記第２のエンティティとは視覚的に区別できる方法で前記第１のエンティティを識別し、前記第１の視覚的識別子は前記視覚クエリ検索結果の前記第１の組への第１のユーザ選択可能リンクを含む、ことと
対話型結果ドキュメントを作成することであって、前記対話型結果ドキュメントは（ｉ）前記視覚クエリ画像に含まれる前記第１のエンティティおよび（ｉｉ）前記第１の視覚的識別子を含む、ステップと、
前記対話型結果ドキュメントを前記クライアントシステムに送ることと
を行うための命令を含む、コンピュータ可読記憶媒体。
【請求項２２】
前記第１の視覚的識別子が、前記第１のエンティティに対応する前記視覚クエリ画像の第１の部分を取り囲む境界ボックスである、請求項２１に記載のコンピュータ可読記憶媒体。
【請求項２３】
前記境界ボックスが、前記視覚クエリ画像の前記第１の部分の輪郭を描く、請求項２２に記載のコンピュータ可読記憶媒体。
【請求項２４】
前記視覚クエリ検索結果の前記第１の組への前記第１のユーザ選択可能リンクは、前記視覚クエリ画像の前記第１の部分内に活性化領域を有する、請求項２２または２３に記載のコンピュータ可読記憶媒体。
【請求項２５】
前記第１の視覚的識別子は、前記視覚クエリ画像の前記第１の部分に関連する少なくとも１つの用語からなるラベルを含み、前記ラベルは、前記視覚クエリ画像の前記第１の部分上またはその付近において前記対話型結果ドキュメント内で提示するためにフォーマットされる、請求項２１〜２４のいずれか一項に記載のコンピュータ可読記憶媒体。
【請求項２６】
コンピュータシステムの１個または複数個のプロセッサが実行するように構成される１つまたは複数のプログラムを記憶する持続性コンピュータ可読記憶媒体であって、前記１つまたは複数のプログラムが、請求項１〜１５のいずれか一項に記載の方法を実行するように前記１個または複数個のプロセッサが実行するための命令を含む、コンピュータ可読記憶媒体。
【請求項２７】
１個または複数個のプロセッサと、
前記１個または複数個のプロセッサが実行するための１つまたは複数のプログラムを記憶するメモリであって、前記１つまたは複数のプログラムが、請求項１〜１５のいずれか一項に記載の方法を実行するように前記１個または複数個のプロセッサが実行するための命令を含む、メモリと
を含む、サーバシステム。